(57)【要約】【課題】  小型化・軽量化が可能な図柄表示装置キャリアを提供すること。【解決手段】  液晶式図柄表示装置５１を収容して搬送する図柄表示装置キャリア１１は、互いに開閉可能に構成された第１箱状部材２０及び第２箱状部材４０を備える。第１箱状部材２０は第１接合面２１に第１開口部２２を有し、第２箱状部材４０は第２接合面４１に第２開口部４２を有する。また、第１箱状部材２０は第１保持フレーム２４を備える。第１保持フレーム２４は、液晶式図柄表示装置５１を第１箱状部材２０の内面から離間した状態で保持する。なお、図柄表示装置キャリア１１には、大きくて重い遊技盤は収容されていない。【選択図】  図３
0003114178.tif 000002
【実用新案登録請求の範囲】
【請求項１】
複数種類の図柄を複数列で変動または停止表示して遊技演出を行う遊技機用図柄表示装置を収容して搬送するための図柄表示装置キャリアであって、
第１接合面に第１開口部を有する第１箱状部材と、前記第１接合面と接合しうる第２接合面に第２開口部を有する第２箱状部材とを備え、前記第１箱状部材及び前記第２箱状部材が開閉可能に構成されるとともに、
前記第１箱状部材は、前記遊技機用図柄表示装置を前記第１箱状部材の内面から離間した状態で保持する第１保持部材を備えることを特徴とする図柄表示装置キャリア。
【請求項２】
前記第１保持部材は、遊技機の電気的構成部品であって機種ごとの交換が必要な専用装置を保持し、
前記第２箱状部材は、遊技機の電気的構成部品であって機種ごとの交換が不要な共用装置を前記第２箱状部材の内面から離間した状態で保持する第２保持部材を備えることを特徴とする請求項１に記載の図柄表示装置キャリア。
【請求項３】
前記第２保持部材は、前記遊技機用図柄表示装置の表示内容を変更するための表示内容変更装置を保持することを特徴とする請求項２に記載の図柄表示装置キャリア。
【請求項４】
前記第２保持部材は、前記遊技機用図柄表示装置の表示内容を説明するための表示内容説明装置を保持することを特徴とする請求項２または３に記載の図柄表示装置キャリア。
【請求項５】
前記第１保持部材及び前記第２保持部材は、板状部材を屈曲させることで形成されるとともに、孔部を備えていることを特徴とする請求項２乃至４のいずれか１項に記載の図柄表示装置キャリア。
【請求項６】
前記第１保持部材は、前記遊技機用図柄表示装置が取り付けられる図柄表示装置取付孔を備え、
前記図柄表示装置取付孔と前記遊技機用図柄表示装置との隙間の形状及び大きさに対応したスペーサが、前記第１保持部材に取付可能であることを特徴とする請求項１乃至５のいずれか１項に記載の図柄表示装置キャリア。
【請求項７】
前記第１箱状部材の外側部に、前記第２箱状部材の第２接合面に対して前記第１箱状部材の第１接合面を垂直または傾斜状態に支持する脚部を設けたことを特徴とする請求項１乃至６のいずれか１項に記載の図柄表示装置キャリア。
【考案の詳細な説明】
【技術分野】
【０００１】
本考案は、遊技機用図柄表示装置を収容した図柄表示装置キャリアに関するものである。
【背景技術】
【０００２】
一般的に、遊技機の営業・販売活動においては、ビデオなどを使って商品説明を行っている。ところで、ビデオをテレビで再生した場合、遊技機の中で最も顧客が関心を寄せる図柄表示装置は、テレビ画面に比べてかなり小さいために、テレビ画面上にて拡大表示されることが多い。しかし、拡大表示された図柄表示装置は、実際の図柄表示装置とはかなり雰囲気が異なっている。このため、図柄表示装置が遊技機に搭載されたときの雰囲気が顧客に上手く伝わらず、顧客に違和感を与えてしまう。従って、営業・販売活動においては、実際の遊技機を使って商品説明をするのが好ましい。しかし、遊技機は、大きくて重く、携帯に適しているとは言い難い。このため、顧客店舗に出向いて営業・販売活動を行う場合に遊技機を持参することは、営業マンにとって酷である。そこで、遊技機の中で最も顧客が関心を寄せる遊技盤、及び、その遊技盤を制御する制御装置のみを収容した、携帯に適したキャリアが提案されている（例えば、特許文献１参照）。
【特許文献１】特開２００１−１０４６３１号公報
【考案の開示】
【考案が解決しようとする課題】
【０００３】
しかし、遊技盤は年々大型化、重量化しているため、遊技盤のみを携帯することも次第に困難になりつつある。ところが、遊技盤の中で顧客が最も関心を寄せる部分は図柄表示装置であって、特にそれが液晶式である場合には、図柄以外の情報も表示されるため、遊技中に遊技者に提示される情報量が極めて多い。また、液晶式の図柄表示装置は、年々大型化するとともに、高精度化・高画質化する傾向にある。このため、営業・販売活動において顧客に強いインパクトを与えるためには、実際の図柄表示装置を使って商品説明をしたいという要求が高い。よって、営業マンが携帯するキャリアを、より小型化、軽量化することが求められている。
【０００４】
本考案は上記の課題に鑑みてなされたものであり、その目的は、小型化・軽量化が可能な図柄表示装置キャリアを提供することにある。
【課題を解決するための手段】
【０００５】
上記の課題を解決するために、請求項１に記載の考案は、複数種類の図柄を複数列で変動または停止表示して遊技演出を行う遊技機用図柄表示装置を収容して搬送するための図柄表示装置キャリアであって、第１接合面に第１開口部を有する第１箱状部材と、前記第１接合面と接合しうる第２接合面に第２開口部を有する第２箱状部材とを備え、前記第１箱状部材及び前記第２箱状部材が開閉可能に構成されるとともに、前記第１箱状部材は、前記遊技機用図柄表示装置を前記第１箱状部材の内面から離間した状態で保持する第１保持部材を備えることを特徴とする図柄表示装置キャリアをその要旨とする。
【０００６】
従って、請求項１に記載の考案によると、図柄表示装置キャリアには、大きくて重い遊技盤全体が収容されるのではなく、遊技盤の中で顧客が最も関心を寄せる遊技機用図柄表示装置が収容される。よって、遊技機用図柄表示装置を支持する板材（ベニヤ）等が省略されることで、図柄表示装置キャリア内を構成する部品点数が減少するため、図柄表示装置キャリアの小型化・軽量化が可能となる。
【０００７】
さらに、第１箱状部材及び第２箱状部材がヒンジを介して開閉可能に構成されている場合、例えば開状態のときに第１箱状部材及び第２箱状部材を所望の角度で保持できる。
【０００８】
また、遊技機用図柄表示装置は、第１箱状部材に直付けされるのではなく、第１保持部材により第１箱状部材の内面に接触しないように保持されている。このため、第１箱状部材の内面との接触による遊技機用図柄表示装置の破損を防止できる。しかも、第１箱状部材の開放状態において、遊技機用図柄表示装置から発生した熱を、遊技機用図柄表示装置と第１箱状部材との間から第１箱状部材の外部に放出しやすくなるため、熱の影響による遊技機用図柄表示装置の故障等を防止できる。
【０００９】
ここで、図柄表示装置キャリアは、強度が低いソフトケースではなく、強度が高いハードケースであることが好ましい。このようにすれば、図柄表示装置キャリアに衝撃が加わった際に、図柄表示装置キャリアの内部にある遊技機用図柄表示装置などの破損を防止できる。
【００１０】
なお、第１箱状部材の形状、及び、第２箱状部材の形状は、特に限定されないが、例えば略直方体状であることが好ましい。このようにすれば、第１箱状部材及び第２箱状部材の形状が最も一般的な形状となるため、図柄表示装置キャリアを作製するに際して、市販のアルミトランクやアタッシュケースを利用しやすくなる。また、第１箱状部材及び第２箱状部材が開状態であっても閉状態であっても、図柄表示装置キャリアを安定的に設置できるため、図柄表示装置キャリアの内部にある遊技機用図柄表示装置などの破損を防止できる。さらに、第１箱状部材の第１開口部及び第２箱状部材の第２開口部は、互いに同一形状であって、互いに同一面積であることが好ましい。このようにすれば、第１箱状部材及び第２箱状部材が閉状態となる際に、第１開口部及び第２開口部を完全に閉じることができるため、図柄表示装置キャリアの内部にある遊技機用図柄表示装置などを確実に保護できる。
【００１１】
また、本考案の図柄表示装置キャリアは、液晶式、ドットマトリックス式、エレクトロルミネッセンス素子式、７セグメント式などの各種の遊技機用図柄表示装置を収容するためのものとして具体化できる。これらの中でも、複雑な演出が可能な液晶式の遊技機用図柄表示装置を収容するためのものとして適用することが好ましい。このようにすれば、遊技機用図柄表示装置の表示を見せた際に、顧客により強いインパクトを与えることができるため、実際の遊技機用図柄表示装置を使って商品説明をすることの効果が大きくなる。
【００１２】
なお、第１保持部材は、前記第１箱状部材の内側であれば任意の位置に遊技機用図柄表示装置を保持することが可能であるが、第１箱状部材の中央部に遊技機用図柄表示装置を保持することが好ましい。このようにすれば、遊技機用図柄表示装置の表示が見やすくなる。また、第１箱状部材の重量バランスが良くなるため、図柄表示装置キャリアの搬送が容易になる。さらに、遊技機用図柄表示装置の周囲に空間を形成できるため、第１箱状部材の開放状態において、遊技機用図柄表示装置から発生した熱を、空間から第１箱状部材の外部に放出しやすくなる。また、第１保持部材は、任意の向きで遊技機用図柄表示装置を保持することが可能であるが、表示画面を第１箱状部材の第１開口部側に向けた状態で遊技機用図柄表示装置を保持することが好ましい。このようにすれば、図柄表示装置キャリアを開けた状態で表示画面が露出するため、遊技機用図柄表示装置の表示が見やすくなる。
【００１３】
また、第１保持部材は、第１箱状部材の第１開口部から突出しないように遊技機用図柄表示装置を保持することが好ましい。このようにすれば、第２箱状部材、または、第２箱状部材内に配置された部材との接触による、遊技機用図柄表示装置の破損を防止できる。
【００１４】
請求項２に記載の考案は、請求項１において、前記第１保持部材は、遊技機の電気的構成部品であって機種ごとの交換が必要な専用装置を保持し、前記第２箱状部材は、遊技機の電気的構成部品であって機種ごとの交換が不要な共用装置を前記第２箱状部材の内面から離間した状態で保持する第２保持部材を備えることをその要旨とする。
【００１５】
従って、請求項２に記載の考案によると、図柄表示装置キャリアを他機種の遊技機用に変更する場合、第１箱状部材に収容されている専用装置のみを交換すれば済む。このとき、第２箱状部材に収容されている共用装置への作業は何ら必要ないため、変更作業が容易になる。さらに、第１箱状部材及び第２箱状部材がヒンジを介して開閉可能に構成され、そのヒンジが脱着可能である場合、ヒンジを取り外した状態で、第１箱状部材を、他機種の専用装置が取り付けられている第１箱状部材に交換すれば済む。このとき、第１箱状部材内の専用装置の交換作業は何ら必要ないため、変更作業がよりいっそう容易になる。また、図柄表示装置キャリアを元の状態に戻す場合などにおいて、変更作業において取り外した第１箱状部材を再度利用することもできる。
【００１６】
ここで、専用装置としては、遊技機用図柄表示装置の表示内容を制御する表示制御基板、遊技機用図柄表示装置にて行われる音声演出を制御する音声制御基板などが挙げられる。
【００１７】
一方、共用装置が含む電源装置としては、外部電源の電圧（例えば１００Ｖ）を変換（例えば２４Ｖに変換）するための第１電源装置、第１電源装置によって変換された電源を最適化（例えば５Ｖに変換）するための第２電源装置などが挙げられる。ここで、外部電源は、一般的に用いられる家庭用電源であることが好ましい。このようにすれば、営業・販売活動において顧客店舗などに出向いた際であっても、電源を容易に得ることができる。また、電源装置以外の共用装置としては、前記遊技機用図柄表示装置の表示内容を変更するための表示内容変更装置、前記遊技機用図柄表示装置の表示内容を説明するための表示内容説明装置、音声制御基板からの音声信号に基づいて音声を出力するスピーカ、スピーカから出力される音声の音量を調整する音声出力調整装置、などが挙げられる。
【００１８】
なお、第１保持部材は、第１箱状部材の第１開口部から突出しないように専用装置を保持することが好ましい。このようにすれば、第２箱状部材や共用装置との接触による専用装置の破損を防止できる。同様に、第２保持部材は、第２箱状部材の第１開口部から突出しないように共用装置を保持することが好ましい。このようにすれば、第１箱状部材や専用装置との接触による共用装置の破損を防止できる。
【００１９】
さらに、第１保持部材が第１箱状部材の内底面に設置される場合、第１保持部材の設置面積は、第１箱状部材の内底面の面積と等しくてもよいし、内底面の面積よりも小さくてもよいが、内底面の面積よりも小さいことが好ましい。このようにすれば、第１保持部材の外周面と前記第１箱状部材の内壁面との間に隙間を形成できるため、第１箱状部材の開放状態において、専用装置から発生した熱を、隙間から第１箱状部材の外部に放出することができる。よって、熱の影響による専用装置の故障等を防止できる。さらに、隙間内に、例えば専用装置と共用装置とを繋ぐ配線を通すことができるため、配線の自由度が大きくなる。同様に、第２保持部材が第２箱状部材の内底面に設置される場合、第２保持部材の設置面積は、第２箱状部材の内底面の面積と等しくてもよいし、内底面の面積よりも小さくてもよいが、内底面の面積よりも小さいことが好ましい。このようにすれば、第２保持部材の外周面と前記第２箱状部材の内壁面との間に隙間を形成できるため、第２箱状部材の開放状態において、共用装置から発生した熱を、隙間から第２箱状部材の外部に放出することができる。よって、熱の影響による共用装置の故障等を防止できる。さらに、隙間内に、例えば専用装置と共用装置とを繋ぐ配線を通すことができるため、配線の自由度が大きくなる。
【００２０】
なお、前記第１箱状部材の内面または前記第２箱状部材の内面に、弾性材を配置することが好ましいが、第１箱状部材の内面及び第２箱状部材の内面の両方に、弾性材を配置することがより好ましい。このようにすれば、専用装置と第１箱状部材の内面との接触による衝撃が弾性材で吸収され、共用装置と第２箱状部材の内面との接触による衝撃が弾性材で吸収されるため、専用装置及び共用装置の破損を防止できる。さらに、弾性材は、第１箱状部材の内面全体に亘って配置されるとともに、第２箱状部材の内面全体に亘って配置されることが好ましい。このようにすれば、専用装置及び共用装置が弾性材以外の部分に接触しにくくなるため、専用装置及び共用装置の破損をより確実に防止できる。なお、弾性材としては、ポリウレタンフォーム（いわゆるスポンジ）製のクッション材やゴム製のクッション材などが挙げられる。
【００２１】
請求項３に記載の考案は、請求項２において、前記第２保持部材は、前記遊技機用図柄表示装置の表示内容を変更するための表示内容変更装置を保持することをその要旨とする。
【００２２】
遊技機用図柄表示装置にて表示される表示内容が多数存在する場合、顧客が希望する内容が表示されるまでに長時間待たなければならない場合があり、営業・販売活動をスムーズに行うことができない。その点、請求項３に記載の考案によれば、表示内容変更装置を操作することにより、顧客が希望する表示内容に即座に変更することができる。よって、営業・販売活動をスムーズに行うことができる。
【００２３】
ここで、表示内容変更装置としては、同表示内容変更装置を操作している間のみ信号を出力する機械式スイッチ（メカスイッチ）、例えば営業マンの手が近づいたときに信号を出力する電磁式スイッチ（近接スイッチ）、例えば営業マンの手が接触したときに信号を出力するタッチセンサなどが挙げられる。さらに、表示内容変更装置が設けられる場所は、手が届きやすい第２箱状部材の第２開口部近傍であることが好ましく、具体的には、第２保持部材において第２箱状部材の第２開口部側に位置する面などが挙げられる。なお、表示内容変更装置は、前記各表示内容に対応するように複数設けられていてもよい。
【００２４】
また、表示内容変更装置を、第１保持部材ではなく第２保持部材に設けることにより、以下の利点が得られる。例えば、遊技機用図柄表示装置の周囲に表示内容変更装置が設けられることで顧客にとって目障りになることが防止される。しかも、表示内容変更装置の操作時に遊技機用図柄表示装置が手で覆われることを防止できる。よって、遊技機用図柄表示装置が見やすくなる。また、図柄表示装置キャリアにおいて設置部分となる第２保持部材に表示内容変更装置が設けられているため、操作時に第２保持部材が動きにくい。よって、表示内容変更装置を安定的に操作できる。なお、表示内容変更装置は、具体的には、第２保持部材において第２箱状部材の第２開口部側に位置する面に設けられることが好ましい。
【００２５】
請求項４に記載の考案は、請求項２または３において、前記第２保持部材は、前記遊技機用図柄表示装置の表示内容を説明するための表示内容説明装置を保持することをその要旨とする。
【００２６】
従って、請求項４に記載の考案によると、表示内容説明装置の説明に基づいて遊技機用図柄表示装置の表示内容を確認できるため、表示内容をあまり把握していない営業マンであっても、顧客への説明が容易となる。
【００２７】
ここで、遊技機用図柄表示装置とは別の表示内容説明装置としては、液晶式、ドットマトリックス式、エレクトロルミネッセンス素子式、７セグメント式の表示装置などが挙げられる。また、遊技機用図柄表示装置とは別の表示内容説明装置としては、スピーカなどの音声出力装置などが挙げられる。この場合、表示内容説明装置からの音声の出力だけで、顧客への説明を行うことができる。よって、営業マンが敢えて表示内容の説明をしなくても済むため、営業マンの負担を低減できる。
【００２８】
なお、表示内容説明装置が前記表示装置である場合、表示内容を説明する具体例としては、文字、記号などが表示内容を明示的に示唆するものや、暗示的に示唆するものが挙げられる。表示内容を明示的に示唆する具体例としては、例えば、「ハズレ」、「ハズレリーチ」、「大当り」、「確変大当り」という文字を表示装置に表示することなどが挙げられる。一方、表示内容を暗示的に示唆する具体例としては、各表示内容に対応する数字（例えば、「表示内容３」を示す「３」）を表示装置に表示することなどが挙げられる。また、表示内容説明装置が前記音声出力装置である場合、表示内容を説明する具体例としては、言葉が表示内容を明示的に示唆するものや、暗示的に示唆するものが挙げられる。表示内容を明示的に示唆する具体例としては、例えば、「ハズレ」、「ハズレリーチ」、「大当り」、「確変大当り」という言葉を音声出力装置から出力することなどが挙げられる。一方、表示内容を暗示的に示唆する具体例としては、各表示内容に対応する数字を音声出力装置から出力することなどが挙げられる。
【００２９】
さらに、表示内容説明装置を、第１保持部材ではなく第２保持部材に設けることにより、以下の利点が得られる。例えば、遊技機用図柄表示装置の周囲に表示内容説明装置が設けられることで顧客にとって目障りになることが防止される。このため、遊技機用図柄表示装置が見やすくなる。なお、表示内容説明装置は、具体的には、第２保持部材において第２箱状部材の第２開口部側に位置する面に設けられることが好ましい。また、表示内容説明装置は、前記表示内容変更装置の近傍に設けられることが好ましい。このようにすれば、表示内容説明装置を見ながら表示内容変更装置を操作できる。
【００３０】
請求項５に記載の考案は、請求項２乃至４のいずれか１項において、前記第１保持部材及び前記第２保持部材は、板状部材を屈曲させることで形成されるとともに、孔部を備えていることをその要旨とする。
【００３１】
従って、請求項５に記載の考案によると、第１保持部材及び第２保持部材が板状部材によって形成されるとともに、孔部を備えるため、第１保持部材及び第２保持部材が軽量化される。よって、図柄表示装置キャリア全体の軽量化が可能となる。また、第１箱状部材の開放状態において、専用装置から発生した熱を、孔部を介して第１箱状部材の外部に放出することができる。同様に、第２箱状部材の開放状態において、共用装置から発生した熱を、孔部を介して第２箱状部材の外部に放出することができる。このため、熱の影響による専用装置や共用装置の故障等を防止できる。さらに、孔部を介して配線を通すことができるため、配線の自由度が大きくなる。また、第１保持部材及び第２保持部材は、板状部材を屈曲させることで形成されるため、板状部材が薄くても剛性を確保できる。しかも、金型などを用いて第１保持部材及び第２保持部材を形成する場合に比べて、第１保持部材及び第２保持部材の形成が容易になる。
【００３２】
請求項６に記載の考案は、請求項１乃至５のいずれか１項において、前記第１保持部材は、前記遊技機用図柄表示装置が取り付けられる図柄表示装置取付孔を備え、前記図柄表示装置取付孔と前記遊技機用図柄表示装置との隙間の形状及び大きさに対応したスペーサが、前記第１保持部材に取付可能であることをその要旨とする。
【００３３】
従って、請求項６に記載の考案によると、遊技機用図柄表示装置を、外形や大きさが異なる別の遊技機用図柄表示装置に交換する場合、スペーサの交換または取り外しを行うだけで、遊技機用図柄表示装置を第１保持部材に保持できる。即ち、第１保持部材の交換が不要になるため、遊技機用図柄表示装置の交換作業が容易になる。また、様々なサイズの遊技機用図柄表示装置が取付可能となるため、第１保持部材の汎用性が高くなる。
【００３４】
ここで、スペーサとしては、遊技機用図柄表示装置の外周面と第１保持部材との隙間を埋めるように配置される板状部材であることが好ましい。このようにすれば、遊技機用図柄表示装置の外周面全体が板状部材に接触するため、遊技機用図柄表示装置をより確実に保持できる。また、スペーサは、外形や大きさが異なる複数種類の遊技機用図柄表示装置が取付可能であることが好ましい。このようにすれば、遊技機用図柄表示装置の外形及び大きさに合わせて複数種類のスペーサを用意しなくても済むため、スペーサの汎用性が高くなる。
【００３５】
請求項７に記載の考案は、請求項１乃至６のいずれか１項において、前記第１箱状部材の外側部に、前記第２箱状部材の第２接合面に対して前記第１箱状部材の第１接合面を垂直または傾斜状態に支持する脚部を設けたことをその要旨とする。
【００３６】
従って、請求項７に記載の考案によると、第１箱状部材を脚部によって支持することで、第１箱状部材内の遊技機用図柄表示装置も垂直または傾斜状態となるため、垂直または傾斜状態にない場合に比べて遊技機用図柄表示装置が見やすくなる。なお、垂直または傾斜状態とは、第２接合面に対して第１接合面が９０°以上１８０°未満の角度をなしていること、好ましくは約１２０°の角度をなしていることをいう。さらに、前記脚部は、例えば伸縮可能、格納可能、折り畳み可能に設けられていることが好ましい。このようにすれば、図柄表示装置キャリアを持ち運びする際に、脚部が出っ張らず邪魔にならない。
【考案の効果】
【００３７】
以上詳述したように、請求項１〜７に記載の考案によれば、小型化・軽量化が可能な図柄表示装置キャリアを提供することができる。
【００３８】
特に、請求項２に記載の考案によれば、図柄表示装置キャリアを他機種の遊技機用に変更する場合、第１箱状部材に収容されている専用装置のみを交換すれば済むため、変更作業が容易になる。
【考案を実施するための最良の形態】
【００３９】
以下、本考案を具体化した一実施形態を図１〜図１０に基づき説明する。
（１）図柄表示装置キャリア１１の構成
【００４０】
図１〜図３に示される図柄表示装置キャリア１１は、パチンコ機（遊技機）用の液晶式図柄表示装置５１（遊技機用図柄表示装置）を収容して搬送するハードケースである。図柄表示装置キャリア１１は、略直方体状をなす第１箱状部材２０と、同じく略直方体状をなす第２箱状部材４０とを備えている。第１箱状部材２０及び第２箱状部材４０は、２つのヒンジ１２（図３参照）を介して互いに開閉可能に構成されている。また、第１箱状部材２０及び第２箱状部材４０は、２つのロック手段１３によって閉状態に固定されている。なお、両ロック手段１３は、図柄表示装置キャリア１１においてヒンジ１２が設けられている面とは反対側の面に設けられている。また、両ロック手段１３間には把手取付部１４が設けられ、把手取付部１４には把手１５が取り付けられている。
（２）第１箱状部材２０の構成
【００４１】
図１〜図３に示されるように、第１箱状部材２０は、略矩形板状をなす底壁２０ａと、周壁２０ｂとからなっている。周壁２０ｂの先端部分は第１開口部２２を構成しており、周壁２０ｂの先端面は、第２箱状部材４０と接合しうる第１接合面２１となっている。
【００４２】
また、底壁２０ａの内面全体及び周壁２０ｂの内面全体には、硬質の発泡ウレタン材２３（弾性材）が配置されている。そして、底壁２０ａには、第１保持フレーム２４（第１保持部材）が取り付けられている。図５に示されるように、第１保持フレーム２４は、板状部材の両側部分をそれぞれ９０°屈曲させ、さらに屈曲部分の先端側を反対方向に９０°屈曲させることで、断面略コ字状に形成される。なお、板状部材において屈曲していない部分が略矩形状をなす正面板２５となり、屈曲部分の基端側が側面板２６となり、屈曲部分の先端側が取付板２７となる。
【００４３】
図２に示されるように、正面板２５は、第１開口部２２の近傍において第１接合面２１よりも１０〜２０ｍｍ程度引っ込んだ状態で配置されている。図２，図３，図５に示されるように、正面板２５には略矩形状をなす図柄表示装置取付孔２８が設けられており、図柄表示装置取付孔２８の略中央部には、図柄表示装置ユニット５０が取り付けられている。なお、取付状態において、図柄表示装置ユニット５０は、底壁２０ａの内面から離間した状態に保持される（図６参照）。
【００４４】
図８に示されるように、図柄表示装置ユニット５０は、前記液晶式図柄表示装置５１（専用装置）と、液晶式図柄表示装置５１の裏側に配置された表示制御基板３４（専用装置）と、表示制御基板３４の裏側に配置された音声制御基板３２（専用装置）とを備えている。なお、液晶式図柄表示装置５１では、変動画像（または画像表示）に基づく遊技演出が行われるようになっている。また、液晶式図柄表示装置５１には、表示画面Ｈが第１開口部２２側を向いた状態で配置されている。そして、表示画面Ｈには、複数種類の図柄を複数列で変動または停止表示させて図柄組み合わせを導出させる図柄組み合わせゲームが表示可能となっている。具体的には、複数種類の図柄が左、右、中の３列で変動し、左→右→中の順番で停止するようになっている。さらに、表示画面Ｈには、魚などのキャラクタを登場させるといった演出が表示される。図４に示されるように、表示制御基板３４は、液晶式図柄表示装置５１に電気的に接続されており、液晶式図柄表示装置５１を表示制御するための図柄信号を出力する。また、音声制御基板３２は、液晶式図柄表示装置５１にて行われる音声演出を制御する。
【００４５】
なお、図２，図３，図７，図８に示されるように、図柄表示装置ユニット５０の正面の面積は、図柄表示装置取付孔２８の面積よりもかなり小さくなっている。このため、図柄表示装置ユニット５０は、合成樹脂製のスペーサ５２を介して正面板２５に取り付けられている。スペーサ５２は、略矩形板状をなすスペーサ本体５３と、図柄表示装置ユニット５０の側面に沿ってスペーサ本体５３の裏面側に突出する取付部５４とからなっている。スペーサ本体５３は、液晶式図柄表示装置５１と図柄表示装置取付孔２８との隙間と同一の形状かつ同一の大きさに設定されている。取付部５４には、図柄表示装置ユニット５０の側面に突設されたブラケット５０ａが固定されている。これにより、図柄表示装置ユニット５０がスペーサ５２に取り付けられる。
【００４６】
また、図３，図５，図６に示されるように、前記第１保持フレーム２４の正面板２５には、スピーカ用透孔部３０が左右一対に設けられている。各スピーカ用透孔部３０は、第１保持フレーム２４の表裏を連通させる複数の透孔からなっている。各透孔は、それぞれ同一の内径を有しており、互いに等間隔に配置されている。そして、正面板２５において一対のスピーカ用透孔部３０に対応する位置の裏側には、遊技の状態に応じて各種音声（効果音など）を出力するスピーカ３５がそれぞれ配設されている。図４に示されるように、スピーカ３５は、音声制御基板３２に電気的に接続されており、音声制御基板３２からの音声信号に基づいて音声を出力する。
【００４７】
図５，図６に示されるように、前記第１保持フレーム２４の側面板２６は略長形状をなしており、側面板２６には、長方形状をなす孔部２９が側面板２６の長手方向に沿って複数設けられている。なお、第１保持フレーム２４を前記第１箱状部材２０の底壁２０ａに取り付けた状態において、側面板２６と周壁２０ｂとの間には隙間Ｓ１（図３参照）が形成される。この隙間Ｓ１には、図柄表示装置ユニット５０から延設されて孔部２９を通過した配線３３が配置されるようになっている。
【００４８】
また、前記取付板２７は帯板状をなしており、取付板２７には複数の雌ネジ部２７ａが配設されている。そして、取付板２７を底壁２０ａ上に配置し、底壁２０ａの外面側から貫通させたネジ２７ｂ（図６参照）を各雌ネジ部２７ａに螺着させることにより、第１箱状部材２０に対して第１保持フレーム２４が着脱可能に取り付けられる。
（３）第２箱状部材４０の構成
【００４９】
図１〜図３に示されるように、第２箱状部材４０は、略矩形板状をなす底壁４０ａと、周壁４０ｂとからなっている。周壁４０ｂの先端部分は第２開口部４２を構成しており、周壁４０ｂの先端面は、第１箱状部材２０の前記第１接合面２１と接合しうる第２接合面４１となっている。
【００５０】
また、底壁４０ａの内面全体及び周壁４０ｂの内面全体には、硬質の発泡ウレタン材４４（弾性材）が配置されている。また、底壁４０ａには、第２保持フレーム４３（第２保持部材）が取り付けられている。図９に示されるように、第２保持フレーム４３は、板状部材の両側部分をそれぞれ９０°屈曲させ、さらに屈曲部分の先端側を反対方向に９０°屈曲させることで、断面略コ字状に形成される。なお、板状部材において屈曲していない部分が略矩形状をなす正面板４５となり、屈曲部分の基端側が側面板４６となり、屈曲部分の先端側が取付板４７となる。
【００５１】
図２に示されるように、正面板４５は、第２開口部４２の近傍において第２接合面４１よりも１０〜２０ｍｍ程度引っ込んだ状態で配置されている。図３，図９に示されるように、正面板４５には矩形状をなすスイッチ取付孔４８が設けられており、スイッチ取付孔４８には電源スイッチ４９が取り付けられている。電源スイッチ４９は、オン位置に操作されることにより、前記液晶式図柄表示装置５１などに電源を供給する機能を有している。また、正面板４５におけるスイッチ取付孔４８の近傍には、矩形状をなす差込口取付孔６３が設けられ、差込口取付孔６３には、電源コード差込口３８がネジ止めされている。電源コード差込口３８には、外部電源（家庭用電源）に接続可能な電源コード（図示略）が差し込まれている。なお、電源コードは、例えば前記隙間Ｓ１に収納されるようになっている。
【００５２】
また、正面板４５には円形状をなすダイヤル取付孔６１が設けられ、ダイヤル取付孔６１には音量調整ダイヤル６２（音声出力調整装置、共用装置）が取り付けられている。図４に示されるように、音量調整ダイヤル６２は、配線３３を介して前記音声制御基板３２に電気的に接続されている。よって、音声制御基板３２は、音量調整ダイヤル６２の回動操作時に出力される操作信号に基づいて、前記スピーカ３５から出力される音声の音量を調整する。
【００５３】
図３，図９に示されるように、正面板４５には矩形状をなす説明装置取付孔７１が設けられ、説明装置取付孔７１には、液晶式図柄表示装置５１の表示内容を説明するための表示内容説明装置７２（共用装置）が取り付けられている。本実施形態において、表示内容説明装置７２は、７セグメント式の表示装置である。つまり、表示内容説明装置７２に表示される番号（例えば、「表示内容３」を示す「３」）が、液晶式図柄表示装置５１の表示内容の種類（例えば、ハズレ演出、ハズレリーチ演出、大当り演出など）を示している。
【００５４】
また、正面板４５において説明装置取付孔７１の近傍には、矩形状をなすスイッチ取付孔７３が所定間隔ごとに複数設けられており、各スイッチ取付孔７３には、表示内容変更装置７４（共用装置）を構成する切換スイッチが取り付けられている。表示内容変更装置７４は、液晶式図柄表示装置５１の表示内容を変更する機能を有している。
【００５５】
図３，図４に示されるように、正面板４５の裏側には、第１電源装置７５（共用装置）と、第１電源装置７５に電気的に接続される第２電源装置７６（共用装置）とが取り付けられている。第１電源装置７５は、電源スイッチ４９を介して電源コード差込口３８に電気的に接続されている。第１電源装置７５は、電源基板や変圧器などを備えている。第１電源装置７５の変圧器は、電源基板に取り付けられており、電源コード差込口３８に差し込まれた電源コードが外部電源に接続され、電源スイッチ４９がオン位置に操作された際に、外部電源の電圧（１００Ｖ）を２４Ｖに変換する機能を有している。また、第２電源装置７６も、電源基板や変圧器などを備えている。第２電源装置７６の変圧器は、電源基板に取り付けられており、第１電源装置７５によって変換された電源をさらに最適化（５Ｖに変換）する機能を有している。第２電源装置７６は、主制御基板３１に電気的に接続されており、主制御基板３１を介して、各制御基板３１，３２，３４，３７及び液晶式図柄表示装置５１に電源を供給するようになっている。
【００５６】
また、図３，図１０に示されるように、正面板４５の裏側には、主制御基板３１（専用装置）及び統括制御基板３７（専用装置）がネジ止めされている。図１０に示されるように、主制御基板３１は、複数のボス７７を介して正面板４５にネジ止めされており、統括制御基板３７も、複数のボス７７を介して正面板４５にネジ止めされている。これにより、主制御基板３１と正面板４５との間に隙間が生じるとともに、統括制御基板３７と正面板４５との間に隙間が生じる。同様に、第１電源装置７５の電源基板は、複数のボス７７を介して正面板４５にネジ止めされており、第２電源装置７６の電源基板も、複数のボス７７を介して正面板４５にネジ止めされている。これにより、第１電源装置７５の電源基板と正面板４５との間に隙間が生じるとともに、第２電源装置７６の電源基板と正面板４５との間に隙間が生じる。また、図４に示されるように、主制御基板３１には統括制御基板３７が電気的に接続されており、統括制御基板３７は、前記配線３３を介して前記音声制御基板３２及び前記表示制御基板３４にそれぞれ電気的に接続されている。主制御基板３１は、液晶式図柄表示装置５１にて行われる遊技演出を制御する。統括制御基板３７は、音声制御基板３２及び表示制御基板３４を統括的に制御する。
【００５７】
図９，図１０に示されるように、前記第２保持フレーム４３の側面板４６は略長形状をなしており、側面板４６には、長方形状をなす孔部８１が側面板４６の長手方向に沿って複数設けられている。なお、第２保持フレーム４３を前記第２箱状部材４０の底壁４０ａに取り付けた状態において、側面板４６と周壁４０ｂとの間には隙間Ｓ２（図３参照）が形成される。この隙間Ｓ２には、前記第１箱状部材２０の隙間Ｓ１から延びる配線３３が配置されるようになっている。この配線３３は、孔部８１を通過して、主制御基板３１、統括制御基板３７、第１電源装置７５の電源基板及び第２電源装置７６の電源基板に接続されるようになっている。
【００５８】
また、前記取付板４７は帯板状をなしており、取付板４７には複数の雌ネジ部４７ａが配設されている。そして、取付板４７を底壁４０ａ上に配置し、底壁４０ａの外面側から貫通させたネジ４７ｂ（図１０参照）を各雌ネジ部４７ａに螺着させることにより、第２箱状部材４０に対して第２保持フレーム４３が着脱可能に取り付けられる。
【００５９】
次に、図柄表示装置キャリア１１の使用方法を説明する。
【００６０】
図柄表示装置キャリア１１を搬送するには、まず、第１箱状部材２０及び第２箱状部材４０を閉状態にする。なお、第１保持フレーム２４の正面板２５は、第１箱状部材２０の第１接合面２１からは突出しておらず、第２保持フレーム４３の正面板４５は、第２箱状部材４０の第２接合面４１からは突出していない。よって、第１箱状部材２０及び第２箱状部材４０を閉状態にする際の、第１保持フレーム２４と第２保持フレーム４３との接触が防止される。
【００６１】
次に、第１箱状部材２０及び第２箱状部材４０をロック手段１３によって閉状態に固定する。その結果、営業マンは、把手１５を把持して図柄表示装置キャリア１１を搬送できるようになる。なお、図柄表示装置キャリア１１には、液晶式図柄表示装置５１は収容されるが、大きくて重い遊技盤は収容されない。よって、遊技盤が収容される場合に比べて図柄表示装置キャリア１１が軽量化されるため、図柄表示装置キャリア１１の搬送が容易になる。また、第１箱状部材２０の略中央部には図柄表示装置ユニット５０が位置しているため、第１箱状部材２０の重量バランスは良好である。よって、図柄表示装置キャリア１１を安定した状態で提げることができる。しかも、図柄表示装置キャリア１１は剛性のあるハードケースなので、把手１５を上側にした状態で安定的に置くことができる。
【００６２】
そして、商品説明を行うにあたり、第２箱状部材４０を下側にして図柄表示装置キャリア１１を机等に載置し、ロック手段１３を解除して第１箱状部材２０及び第２箱状部材４０を開状態にする。このとき、第１箱状部材２０は傾斜した状態となり、第１箱状部材２０の第１接合面２１は、第２箱状部材４０の第２接合面４１に対して１２０°程度の角度をなすようになる（図２参照）。また、液晶式図柄表示装置５１の表示画面Ｈは、第１箱状部材２０の第１開口部２２側を向いた状態で配置されているため、第１箱状部材２０及び第２箱状部材４０を開状態にすると液晶式図柄表示装置５１が直ちに露出する。
【００６３】
次に、第１箱状部材２０の隙間Ｓ１に収納された電源コードを取り出して、電源コードの一端を電源コード差込口３８に接続するとともに、電源コードの他端を外部電源（家庭用電源）に接続する。そして、電源スイッチ４９をオン位置に操作すると、外部電源の電圧（１００Ｖ）が第１電源装置７５の変圧器によって２４Ｖに変換される。さらに、第１電源装置７５によって変換された電源は、第２電源装置７６の変圧器によって最適化（５Ｖに変換）される。その結果、第２電源装置７６によって変換された電源が各制御基板３１，３２，３４，３７及び液晶式図柄表示装置５１に供給され、液晶式図柄表示装置５１が動作可能になる。
【００６４】
なお、本実施形態では、図柄表示装置キャリア１１の外部電源として、一般に普及している家庭用電源を用いているため、顧客店舗に出向いた際に外部電源を容易に確保できる。また、第１電源装置７５及び第２電源装置７６には変圧器が設けられているため、変圧器を別途用意しなくても、液晶式図柄表示装置５１に電源を供給することができる。従って、図柄表示装置キャリア１１を用いて商品説明を行うことが容易になる。
【００６５】
次に、表示内容変更装置７４の切換スイッチを操作して液晶式図柄表示装置５１の表示内容を選択すると、主制御基板３１は、選択された表示内容に基づいて統括制御基板３７に遊技演出の実行を指示するための各種信号を出力する。そして、統括制御基板３７は、主制御基板３１から入力された各種信号を表示制御基板３４及び音声制御基板３２に出力する。さらに、表示制御基板３４は、統括制御基板３７から入力された各種信号に基づいて表示演出の演出実行を指示する。また、音声制御基板３２は、統括制御基板３７から入力された各種信号に基づいて音声演出の演出実行を指示する。その結果、液晶式図柄表示装置５１による図柄変動が開始されるとともに、スピーカ３５から音声が出力されるため、営業マンは、遊技演出の説明を開始することができる。
【００６６】
商品説明の終了後に、図柄表示装置キャリア１１の片付けを行う際には、電源コードを外部電源及び電源コード差込口３８から取り外し、取り外した電源コードを第１箱状部材２０の隙間Ｓ１に収納する。そして、第１箱状部材２０及び第２箱状部材４０を閉状態にし、両者をロック手段１３によって閉状態に固定する。その結果、図柄表示装置キャリア１１の片付けが終了する。
【００６７】
従って、本実施形態によれば以下のような効果を得ることができる。
【００６８】
（１）本実施形態の図柄表示装置キャリア１１には、大きくて重い遊技盤全体が収容されるのではなく、遊技盤の中で顧客が最も関心を寄せる液晶式図柄表示装置５１が収容される。よって、液晶式図柄表示装置５１を支持する板材（ベニヤ）等が省略されることで、図柄表示装置キャリア１１内を構成する部品点数が減少するため、図柄表示装置キャリア１１の小型化・軽量化が可能となる。
【００６９】
さらに、第１箱状部材２０及び第２箱状部材４０がヒンジ１２を介して開閉可能に構成されているため、開状態のときに第１箱状部材２０及び第２箱状部材４０を所望の角度で保持できる。
【００７０】
また、図柄表示装置ユニット５０は、第１箱状部材２０の底壁２０ａに直付けされるのではなく、第１保持フレーム２４により底壁２０ａの内面に接触しないように保持されている。よって、外部から第１箱状部材２０に加わった衝撃が図柄表示装置ユニット５０に伝わりにくくなるため、外部からの衝撃に起因した図柄表示装置ユニット５０の破損を防止できる。しかも、第１箱状部材２０及び第２箱状部材４０が開状態のときに、図柄表示装置ユニット５０から発生した熱を、図柄表示装置ユニット５０と第１箱状部材２０との間から第１箱状部材２０の外部に放出しやすくなるため、熱の影響による図柄表示装置ユニット５０の故障等を防止できる。
【００７１】
（２）本実施形態では、第１保持フレーム２４及び第２保持フレーム４３が板状部材によって形成されるとともに、孔部２９，８１を備えるため、第１保持フレーム２４及び第２保持フレーム４３が軽量化される。よって、図柄表示装置キャリア１１全体の軽量化が可能となる。
【００７２】
また、第１箱状部材２０及び第２箱状部材４０が開状態のときに、第１保持フレーム２４によって保持されるパチンコ機の電気的構成部品（液晶式図柄表示装置５１、表示制御基板３４及び音声制御基板３２など）から発生した熱を、孔部２９を介して第１箱状部材２０の外部に放出することができる（図５の矢印Ｆ１参照）。同様に、第２保持フレーム４３によって保持されるパチンコ機の電気的構成部品（第１電源装置７５、第２電源装置７６、主制御基板３１及び統括制御基板３７など）から発生した熱を、孔部８１を介して第２箱状部材４０の外部に放出することができる（図９の矢印Ｆ２参照）。従って、熱の影響による電気的構成部品の故障等を防止できる。
【００７３】
（３）本実施形態では、第１保持フレーム２４の側面板２６と第１箱状部材２０の周壁２０ｂとの間には隙間Ｓ１が形成されており、第２保持フレーム４３の側面板４６と第２箱状部材４０の周壁４０ｂとの間には隙間Ｓ２が形成されている。このため、第１箱状部材２０及び第２箱状部材４０が開状態のときに、第１保持フレーム２４の孔部２９を介して第１保持フレーム２４の外部に放出された熱を、隙間Ｓ１を介して第１箱状部材２０の外部に容易に放出できる。同様に、第２保持フレーム４３の孔部８１を介して第２保持フレーム４３の外部に放出された熱を、隙間Ｓ２を介して第２箱状部材４０の外部に容易に放出できる。また、隙間Ｓ１を設けることで、孔部２９を通過する配線３３のスペースを確保できるとともに、隙間Ｓ２を設けることで、孔部８１を通過する配線３３のスペースを確保することができる。
【００７４】
（４）本実施形態では、主制御基板３１、統括制御基板３７、第１電源装置７５の電源基板及び第２電源装置７６の電源基板が、第２箱状部材４０の底壁４０ａに直付けされるのではなく、ボス７７を介して第２保持フレーム４３の正面板４５にネジ止めされている。よって、各制御基板３１，３７及び各電源基板と、正面板４５との間に隙間が生じるため、外部から第２箱状部材４０に加わった衝撃が各制御基板３１，３７及び各電源基板に伝わりにくくなる。従って、外部からの衝撃に起因した各制御基板３１，３７及び各電源装置７５，７６の破損を防止できる。しかも、第１箱状部材２０及び第２箱状部材４０が開状態のときに、各制御基板３１，３７及び各電源基板から発生した熱を、正面板４５との間から第２保持フレーム４３の外部に放出しやすくなるため、熱の影響による各制御基板３１，３７及び各電源装置７５，７６の故障等を防止できる。さらに、各制御基板３１，３７及び各電源装置７５，７６を取り付けるにあたって、第２箱状部材４０を加工しなくても済む。
【００７５】
（５）例えば、図柄表示装置キャリア１１自体にキャスター（車輪）を取り付けることにより、図柄表示装置キャリア１１の搬送を容易にすることが考えられる。しかし、図柄表示装置キャリア１１を例えば傾斜地などに載置すると、図柄表示装置キャリア１１を安定させることができない。それに対して、本実施形態の図柄表示装置キャリア１１はキャスターを備えていないため、安定的に載置することができる。また、必要に応じて市販のキャスター付きの台を用いれば、図柄表示装置キャリア１１を台に載せて容易に運ぶことができる。
【００７６】
（６）本実施形態では、図柄表示装置ユニット５０のみが存在し、スペースに余裕がある第１保持フレーム２４に、スピーカ３５が取り付けられている。よって、主制御基板３１、統括制御基板３７、第１電源装置７５、第２電源装置７６が存在し、スペースに余裕がない第２保持フレーム４３にスピーカ３５を取り付ける場合に比べて、スピーカ３５の取り付けが容易になる。また、第１保持フレーム２４にスピーカ３５を取り付けることで、第１箱状部材２０及び第２箱状部材４０を開状態にした場合に、スピーカ３５の前側にあるスピーカ用透孔部３０が顧客の方向に向くようになる。その結果、スピーカ３５の発する音声が顧客の耳に届きやすくなる。さらに、液晶式図柄表示装置５１とスピーカ３５との位置関係が実機に近付くため、リアリティが高くなる。
【００７７】
（７）本実施形態の主制御基板３１は、第１保持フレーム２４に保持されているのではなく、第２保持フレーム４３に保持されている。これにより、主制御基板３１と、主制御基板３１に電気的に接続される統括制御基板３７及び第２電源装置７６とが、互いに近傍に位置するようになる。よって、主制御基板３１と統括制御基板３７との間の配線が容易になるとともに、主制御基板３１と第２電源装置７６と間の配線が容易になる。ひいては、配線の量が少なくて済むため、図柄表示装置キャリア１１の軽量化にも繋がる。
【００７８】
（８）本実施形態の図柄表示装置キャリア１１は、パチンコ機用の電気的構成部品（具体的には、液晶式図柄表示装置５１、スピーカ３５、主制御基板３１、音声制御基板３２、表示制御基板３４、統括制御基板３７、第１電源装置７５、第２電源装置７６）を利用して製作されている。よって、図柄表示装置キャリア１１を低コストかつ容易に製作することができる。
【００７９】
なお、本考案の実施形態は以下のように変更してもよい。
【００８０】
・上記実施形態では、第１保持フレーム２４の正面板２５にスピーカ用透孔部３０及びスピーカ３５が設けられ、第２保持フレーム４３の正面板４５に主制御基板３１及び統括制御基板３７がネジ止めされていた。しかし、図１１に示されるように、第２保持フレーム４３の正面板４５にスピーカ用透孔部３０及びスピーカ３５を設け、第１保持フレーム２４の正面板２５に主制御基板３１及び統括制御基板３７をネジ止めしてもよい。
【００８１】
このようにした場合、機種ごとの交換が必要な専用装置（液晶式図柄表示装置５１、主制御基板３１、統括制御基板３７、音声制御基板３２、表示制御基板３４）のみが第１箱状部材２０に収容される。また、機種ごとの交換が不要な共用装置（スピーカ３５、第１電源装置７５、第２電源装置７６、表示内容説明装置７２、表示内容変更装置７４など）のみが第２箱状部材４０に収容される。よって、図柄表示装置キャリア１１を他機種のパチンコ機用に変更する場合、第１箱状部材２０に収容されている専用装置のみを交換すれば済む。このとき、第２箱状部材４０に収容されている共用装置への作業は何ら必要ないため、変更作業が容易になる。
【００８２】
さらに、第１箱状部材２０及び第２箱状部材４０を開閉可能とするヒンジ１２を脱着可能としてもよい。このようにすれば、ヒンジ１２を取り外した状態で、第１箱状部材２０を、他機種の専用装置が取り付けられている第１箱状部材２０に交換すれば済む。このとき、第１箱状部材２０内の専用装置の交換作業は何ら必要ないため、変更作業がよりいっそう容易になる。また、図柄表示装置キャリア１１を元の状態に戻す場合などにおいて、変更作業において取り外した第１箱状部材２０を再度利用することもできる。
【００８３】
・上記実施形態において、第１保持フレーム２４に保持される液晶式図柄表示装置５１の周囲に役物を設けてもよい。さらに、上記役物は、モータなどで駆動する電動役物（可動体）であってもよい。この場合、役物は、表示制御基板３４からの指示に基づいてモータなどを駆動させることにより、動くようになる。また、第１保持フレーム２４に保持された図柄表示装置ユニット５０内にランプ制御基板を設け、液晶式図柄表示装置５１の周囲にランプなどの発光手段を設けてもよい。この場合、発光手段は、ランプ制御手段からの指示に基づいて発光するようになる。
【００８４】
従って、上記のようにすれば、液晶式図柄表示装置５１がパチンコ機に搭載されたときの雰囲気がより上手く顧客に伝わるため、営業・販売活動において顧客により強いインパクトを与えることができる。また、近年では、可動体を用いた演出を行う割合が高いため、上記のようにすることでリアリティがよりいっそう高くなる。
【００８５】
・上記実施形態の音声制御基板３２及び表示制御基板３４は、第１保持フレーム２４の正面板２５に取り付けられる図柄表示装置ユニット５０の構成部材であった。しかし、音声制御基板３２及び表示制御基板３４を、ボス７７を介して第１保持フレーム２４の正面板２５にネジ止めしてもよい。
【００８６】
・上記実施形態において、第１箱状部材２０（底壁２０ａ）の外側部に、第２箱状部材４０の第２接合面４１に対して第１箱状部材２０の第１接合面２１を垂直状態に支持する脚部を設けてもよいし、傾斜状態に支持する脚部９１（図１２参照）を設けてもよい。このようにすれば、第１箱状部材２０を脚部９１によって支持することで、第１箱状部材２０内の液晶式図柄表示装置５１の表示画面Ｈも垂直または傾斜状態となるため、垂直または傾斜状態にない場合に比べて液晶式図柄表示装置５１が見やすくなる。
【００８７】
さらに、図１２に示されるように、前記脚部９１は、回動軸部９２を中心として回動させることにより折り畳み可能となることが好ましい。また、脚部９１は、回動軸部９２に連結される基端部９３と、基端部９３に対して出没可能な突出部９４とにより、伸縮可能となることが好ましい。このようにすれば、図柄表示装置キャリア１１を持ち運びする際に、脚部９１があまり出っ張らず邪魔にならない。
【００８８】
次に、実用新案登録請求の範囲に記載された技術的思想のほかに、前述した実施形態によって把握される技術的思想を以下に列挙する。
【００８９】
（１）請求項２乃至５のいずれか１項において、前記第２保持部材は、前記共用装置が収容される共用装置取付孔を備え、前記共用装置取付孔と前記共用装置との隙間の形状及び大きさに対応したスペーサが、前記第２保持部材に取付可能であること。
【００９０】
（２）請求項１乃至７のいずれか１項において、前記第１保持部材の外周面と前記第１箱状部材の内壁面との間に隙間が設けられていること。
【００９１】
（３）請求項２乃至５のいずれか１項において、前記第２保持部材の外周面と前記第２箱状部材の内壁面との間に隙間が設けられていること。
【００９２】
（４）請求項１乃至７のいずれか１項において、前記第１保持部材と、前記第１保持部材が保持する基板とが、ボスを介して取り付けられること。
【００９３】
（５）請求項２乃至５のいずれか１項において、前記第２保持部材と、前記第２保持部材が保持する基板とが、ボスを介して取り付けられること。
【００９４】
（６）請求項１乃至７のいずれか１項において、前記第１箱状部材及び前記第２箱状部材の少なくとも一方の内面に、弾性材を配置したこと。
【００９５】
（７）請求項７において、前記脚部は伸縮可能に設けられていること。
【００９６】
（８）請求項２乃至５のいずれか１項において、前記専用装置及び前記共用装置の電源は家庭用電源であること。
【００９７】
（９）請求項２乃至５のいずれか１項において、前記共用装置は、外部電源の電圧を変換するための第１電源装置と、前記第１電源装置によって変換された電源をさらに最適化するための第２電源装置と、前記遊技機用図柄表示装置の表示内容を説明するための表示内容説明装置と、前記遊技機用図柄表示装置にて行われる音声演出を制御する音声制御基板と、前記音声制御基板からの音声信号に基づいて音声を出力するスピーカと、前記スピーカから出力される音声の音量を調整する音声出力調整装置とを含むこと。
【００９８】
（１０）複数種類の図柄を複数列で変動または停止表示して遊技演出を行う遊技機用図柄表示装置を収容して搬送するための図柄表示装置キャリアであって、第１接合面に第１開口部を有する第１箱状部材と、前記第１接合面と接合しうる第２接合面に第２開口部を有する第２箱状部材とを備え、前記第１箱状部材及び前記第２箱状部材がヒンジを介して開閉可能に構成されるとともに、前記第１箱状部材は、遊技機の電気的構成部品であって機種ごとの交換を必要とする専用装置を、前記第１箱状部材の内面から離間した状態で保持する第１保持部材を備え、前記第２箱状部材は、遊技機の電気的構成部品であって機種ごとの交換が不要な共用装置を、同第２箱状部材の内面から離間した状態で保持する第２保持部材を備え、前記第２保持部材は、前記遊技機用図柄表示装置の表示内容を変更するための表示内容変更装置と、前記遊技機用図柄表示装置の表示内容を説明するための表示内容説明装置とを保持することを特徴とする図柄表示装置キャリア。
【図面の簡単な説明】
【００９９】
【図１】本考案における図柄表示装置キャリアを示す上面図。
【図２】第１箱状部材及び第２箱状部材を開状態にしたときの図柄表示装置キャリアを示す斜視図。
【図３】第１箱状部材及び第２箱状部材を開状態にしたときの図柄表示装置キャリアを示す正面図。
【図４】図柄表示装置キャリアにおける主制御基板、統括制御手段、音声制御基板及び表示制御基板などを示すブロック図。
【図５】第１保持フレームを示す斜視図。
【図６】第１箱状部材に取り付けられた第１保持フレームを示す側面図。
【図７】第１保持フレーム、図柄表示装置ユニット及びスペーサを示す正面図。
【図８】図７のＡ−Ａ線断面図。
【図９】第２保持フレームを示す斜視図。
【図１０】第２箱状部材に取り付けられた第２保持フレームを示す側面図。
【図１１】他の実施形態において、第１箱状部材及び第２箱状部材を開状態にしたときの図柄表示装置キャリアを示す正面図。
【図１２】他の実施形態において、第１箱状部材及び第２箱状部材を開状態にしたときの図柄表示装置キャリアを示す側面図。
【符号の説明】
【０１００】
１１…図柄表示装置キャリア
２０…第１箱状部材
２１…第１接合面
２２…第１開口部
２４…第１保持部材としての第１保持フレーム
２８…図柄表示装置取付孔
２９…孔部
３１…専用装置としての主制御基板
３２…専用装置としての音声制御基板
３４…専用装置としての表示制御基板
３７…専用装置としての統括制御基板
４０…第２箱状部材
４１…第２接合面
４２…第２開口部
４３…第２保持部材としての第２保持フレーム
５１…遊技機用図柄表示装置及び専用装置としての液晶式図柄表示装置
５２…スペーサ
６２…共用装置としての音量調整ダイヤル
７２…共用装置としての表示内容説明装置
７４…共用装置としての表示内容変更装置
７５…共用装置としての第１電源装置
７６…共用装置としての第２電源装置
８１…孔部
９１…脚部
【図１】
0003114178.tif 000003
【図２】
0003114178.tif 000004
【図３】
0003114178.tif 000005
【図４】
0003114178.tif 000006
【図５】
0003114178.tif 000007
【図６】
0003114178.tif 000008
【図７】
0003114178.tif 000009
【図８】
0003114178.tif 000010
【図９】
0003114178.tif 000011
【図１０】
0003114178.tif 000012
【図１１】
0003114178.tif 000013
【図１２】
0003114178.tif 000014